(57)【要約】【課題】大サイズ用紙の通紙時の定着部材の端部温度低下の抑制と、小サイズ用紙の通紙時の定着部材の端部温度上昇の抑制を両立させる。【解決手段】  ヒータ８を有する加熱ローラ１と、熱源を有しない定着ローラ２に加圧ローラ４を圧接配置し、両ローラ１、２の間に無端状の定着ベルト３を張架し、定着ローラ２と加圧ローラ４との圧接で形成されるニップ部Ｎに用紙Ｐを通紙してトナーの加熱定着を行う装置である。加熱ローラ１の外周部かつ加熱ローラ１の軸方向の両端部に当接させて、内部にヒータ６を持ち、かつ外部に冷却ファン１５をも備える外部ローラ５を有する。通紙される用紙幅が規定幅以上の場合、外部ローラのヒータ６で定着ベルト３に熱を供給し、通紙される用紙幅が規定幅未満の場合、冷却ファン１５で外部ローラ５を冷却し、定着ベルト３を通じて加熱ローラ１の熱を吸収する。【選択図】図２
2014026176.tif 000002
【特許請求の範囲】
【請求項１】
内部に熱源を有する加熱ローラと、
内部に熱源を有しない定着ローラと、
前記加熱ローラと定着ローラとの間に張架される無端状の定着ベルトと、
前記定着ベルトを介して前記定着ローラに圧接させる加圧ローラと、を備え、
前記定着ローラと前記加圧ローラとの圧接によって形成される前記定着ベルトと前記加圧ローラとのニップ部に、未定着トナー像を担持した用紙を通紙して加熱定着を行う定着装置において、
前記定着ベルトを挟んで前記加熱ローラの外周部でかつ前記加熱ローラの軸方向の両端部に当接して配置される外部ローラを有し、
該外部ローラは内部に発熱手段を有し、
前記外部ローラの外部に該外部ローラを冷却するための冷却手段を配し、
前記ニップ部に通紙される用紙の幅が規定の幅以上の場合、前記外部ローラの熱源により前記定着ベルトに熱を供給し、
前記ニップ部に通紙される用紙幅が規定の幅未満の場合、前記冷却手段により前記外部ローラを冷却し、前記定着ベルトを介して前記加熱ローラの熱を吸収する、
ことを特徴とする定着装置。
【請求項２】
請求項１に記載の定着装置において、
前記外部ローラを、前記定着ベルトを挟んで前記加熱ローラに対して接離させる接離機構を有することを特徴とする定着装置。
【請求項３】
請求項２に記載の定着装置において、
前記加熱ローラ上の、前記定着ベルトを挟んで前記外部ローラが当接する位置の温度を検出する温度検出手段を有し、
該温度検出手段により検出された温度に応じて前記外部ローラの発熱手段、前記冷却手段、及び前記接離機構を制御する制御手段を含む、
ことを特徴とする定着装置。
【請求項４】
請求項３に記載の定着装置において、
前記温度検出手段は、前記加熱ローラの軸方向で、中央に一の温度検出装置を、両端の前記外部ローラの配置位置と対応する位置それぞれに他の温度検出装置を配し、
前記制御手段は、これら温度検出装置の検出温度に応じて前記接離機構を制御する、
ことを特徴とする定着装置。
【請求項５】
内部に熱源を有する定着ローラと、
該定着ローラに圧接させる加圧ローラと、を備え、
これら両ローラのニップ部に未定着トナー像を担持した用紙を通紙して加熱定着を行う定着装置において、
前記定着ローラの外周部でかつ前記定着ローラの軸方向の両端部に当接して外部ローラを配し、
該外部ローラは内部に発熱手段を有し、
前記外部ローラの外部に該外部ローラを冷却するための冷却手段を配し、
通紙される用紙幅が規定された幅以上の場合、前記外部ローラの発熱手段により前記定着ローラに熱を供給し、
通紙される用紙幅が規定された幅未満の場合、前記冷却手段にて前記外部ローラを冷却し、前記定着ローラの熱を吸収することを特徴とする定着装置。
【請求項６】
請求項５に記載の定着装置において、
前記外部ローラを前記定着ローラに対して接離させる接離機構を有することを特徴とする定着装置。
【請求項７】
請求項６に記載の定着装置において、
前記定着ローラ上の、前記外部ローラが当接する位置の温度を検出する温度検出手段を有し、
該温度検出手段により検出された温度に応じて前記外部ローラの発熱手段、前記冷却手段、及び前記接離機構を制御する制御手段を含む、
ことを特徴とする定着装置。
【請求項８】
請求項７に記載の定着装置において、
前記温度検出手段は、前記定着ローラの軸方向で、中央に一の温度検出装置を、両端の前記外部ローラの配置位置と対応する位置それぞれに他の温度検出装置を配し、
前記制御手段は、これら温度検出装置の検出温度に応じて前記接離機構を制御する、
ことを特徴とする定着装置。
【請求項９】
請求項１から請求項８のいずれか一項に記載の定着装置を備えたことを特徴とする画像形成装置。
【発明の詳細な説明】
【技術分野】
【０００１】
本発明は、電子写真方式を利用した複写機、プリンタ、ファクシミリ、それらの複合機等の画像形成装置に関し、詳細には、像担持体上に形成されたトナー像を記録媒体に定着させる定着装置、及びそれを用いた画像形成装置に関する。
【背景技術】
【０００２】
従来より、複写機やプリンタなどの電子写真方式を利用した画像形成装置においては、トナー像を紙に定着させる手段として、内部にヒータを持つ定着ローラと加圧ローラを用いた定着装置が広く用いられている。この種の定着装置では、ヒータにより定着ローラと加圧ローラとが接するニップ部を加熱し、ニップ部を通過する用紙上に付着したトナーを、加熱定着することで定着画像を得る。
【０００３】
このような定着装置は、定着ローラの軸方向の中央部分に温度検知手段を設けていて、用紙がニップ部を通過することにより、定着ローラの熱を奪ってニップ部の温度が低下すると、その奪われた熱を補うために、ヒータに通電することによって所望の定着温度を維持するようにしている。そのため、定着ローラ上において用紙が通過しなかった部分（主として端部）は、用紙により熱が奪われないので、連続印刷が行われたときには、その部分の温度が上昇し、定着ローラの寿命が短くなることがある。また、幅広サイズの用紙が直後に印刷されると、端部の温度が著しく高くなりやすいため、中央部との光沢差、場合によってはホットオフセットに起因する表面アレによる光沢ムラ等のため、定着画質が著しく劣化することがある。これらの問題は、定着ローラと加圧ローラの組み合わせに限らず、どちらか一方が固定部材であったり、少なくとも一方がベルト部材であったりしても同様である。
【０００４】
なお、以上を踏まえ、本願においては、定着に寄与する部材を定着部材、加圧に寄与する部材を加圧部材と称することがある。ただし、以下の説明では、煩雑さを避けるために定着ローラと加圧ローラを例にとって説明する。
【０００５】
前記の問題を解決する提案として、特許文献１では、定着ローラとその定着ローラに圧接してニップ部を形成する加圧ローラとを備え、定着ローラ内部には第１のヒータと第２のヒータが配設され、第１のヒータは、通紙する用紙の搬送部分の配熱量が、他の部分より大きくなるように設定し、第２のヒータは、逆に非通紙基準側の配熱量が、他の部分より大きくなるように設定してある。このように複数のヒータランプの軸方向に関して、場所により配光特性に強弱をつけることで、端部の温度上昇を抑制し、幅広／幅狭用紙に対応するという方法である。
【発明の概要】
【発明が解決しようとする課題】
【０００６】
しかしながら、このような対策は、各種用紙サイズに合わせて、場所により配光特性の異なる複数本のヒータランプを配置する必要があり、また定着ローラ軸方向の温度分布を検出し、各々のヒータランプを制御するために、軸方向には複数の温度センサを配置し、逐一監視し、制御する必要がある。そのためコストアップや装置の大型化を招来するだけでなく、定着温度の制御方式が複雑になるという問題点がある。
【０００７】
また、定着ローラ端部の温度上昇を抑制する手段としては一般的に冷却ファンを設けて定着ローラに風を吹き付けて冷やす手法が知られているが、熱せられた定着ローラは送風では冷えにくく、効率が悪いという問題点がある。
【０００８】
本発明は上述の事情にかんがみてなしたもので、大サイズ用紙の通紙時の定着部材の端部温度低下の抑制と、小サイズ用紙の通紙時の定着部材の端部温度上昇の抑制を両立させることを目的とする。
【課題を解決するための手段】
【０００９】
本発明に係る定着装置は、内部に熱源を有する加熱ローラと、内部に熱源を有しない定着ローラと、前記加熱ローラと定着ローラとの間に張架される無端状の定着ベルトと、前記定着ベルトを介して前記定着ローラに圧接させる加圧ローラと、を備え、前記定着ローラと前記加圧ローラとの圧接によって形成される前記定着ベルトと前記加圧ローラとのニップ部に、未定着トナー像を担持した用紙を通紙して加熱定着を行う定着装置において、前記定着ベルトを挟んで前記加熱ローラの外周部でかつ前記加熱ローラの軸方向の両端部に当接して配置される外部ローラを有し、該外部ローラは内部に発熱手段を有し、前記外部ローラの外部に該外部ローラを冷却するための冷却手段を配し、前記ニップ部に通紙される用紙の幅が規定の幅以上の場合、前記外部ローラの熱源により前記定着ベルトに熱を供給し、前記ニップ部に通紙される用紙幅が規定の幅未満の場合、前記冷却手段により前記外部ローラを冷却し、前記定着ベルトを介して前記加熱ローラの熱を吸収する、ことを特徴とする。
【発明の効果】
【００１０】
本発明によれば、通紙される用紙幅が規定された幅以上の場合、外部ローラが内蔵する発熱手段により定着ベルトに熱を供給し、通紙される用紙幅が規定された幅未満の場合、冷却手段にて外部ローラを冷却し、定着ベルトを通じて加熱ローラの熱を吸収するので、大サイズ通紙時の定着部材の端部温度低下と小サイズ通紙時の定着部材の端部温度上昇の抑制を両立することができる。
【図面の簡単な説明】
【００１１】
【図１】本発明の実施対象となる画像形成装置の一例を示す概念的断面図
【図２】本発明に係る定着装置の実施形態１を示す概念的断面図
【図３】図２に示した加熱ローラ及び外部ローラの断面図
【図４】最大用紙幅の用紙を通紙した場合の、図２に示した定着ベルト表面の温度分布の概略説明図
【図５】幅狭用紙を通紙した場合の、図２に示した定着ベルト表面の温度分布の概略説明図
【図６】本発明に係る定着装置の実施形態２を示す概念的断面図
【発明を実施するための形態】
【００１２】
図１は本発明の実施対象となる画像形成装置の一例を示す概念的断面図である。この画像形成装置１００は、タンデム型中間転写方式のカラー複写機であり、装置本体１０１と、装置本体１０１の上部に配置された画像読取装置であるスキャナ１０２と、該スキャナ１０２のさらに上部に配置された自動原稿給送装置（ＡＤＦ）１０３とを有している。
【００１３】
装置本体１０１の下部には、複数の給紙カセット１０４ａ、１０４ｂ、１０４ｃ、１０４ｄを備えた給紙部１０４が配置されている。また装置本体１０１のほぼ中央部には、中間転写体としての無端状の中間転写ベルト１０５が配置されている。中間転写ベルト１０５は、複数の支持ローラ１０６、１０７、１０８等に掛け渡されて支持されており、図示しない駆動源により図中時計回り方向に回転駆動される。支持ローラ１０８の近傍には、２次転写後に中間転写ベルト１０５上に残留する残留トナー等を除去する中間転写ベルトクリーニング装置１０９が設けられている。
【００１４】
支持ローラ１０６と支持ローラ１０７との間に張り渡された中間転写ベルト１０５上には、その搬送方向に沿って、イエロー（Ｙ）、マゼンタ（Ｍ）、シアン（Ｃ）、ブラック（Ｋ）の４つの画像形成手段としてのプロセスカートリッジ２９Ｙ、２９Ｍ、２９Ｃ、２９Ｋがこの順に並設・配置され、タンデム画像形成部３０が構成されている。ただし、これら４つの色順は一例であり、これに限定されるものではない。
【００１５】
プロセスカートリッジ２９Ｙ、２９Ｍ、２９Ｃ、２９Ｋには、像担持体としてのドラム状の感光体ドラム２１Ｙ、２１Ｍ、２１Ｃ、２１Ｋが配置されている。以下、プロセスカートリッジ２９Ｙ、２９Ｍ、２９Ｃ、２９Ｋの構成は、露光される画像データ色に対応した現像剤中のトナー色が異なるのみで他の構成は同様のため、色を表す添え字符号を削除した符号で総括的に説明する。
【００１６】
またプロセスカートリッジ２９における感光体ドラム２１の周囲には、感光体ドラム表面に像担持体保護剤を供給する保護層形成装置２２、感光体ドラム表面を均一に帯電させる帯電装置２３、後述する露光装置としての潜像形成装置２８からの露光を受け入れる部位、感光体ドラム表面の潜像形成部分にトナーを供給してトナー可視像化する現像装置２５、感光体ドラム表面のトナー画像を中間転写ベルト１０５に１次転写する転写装置（図示の例では転写ローラ）２６及び転写後の感光体ドラム表面の残留トナー等をクリーニングするクリーニング装置２４が配置されている。
【００１７】
タンデム画像形成部３０の上方には、露光装置としての潜像形成装置２８が配置されている。中間転写ベルト１０５を挟んで支持ローラ１０８と反対の側には、転写装置としての２次転写ローラ１１０が配置されている。該２次転写ローラ１１０により、中間転写ベルト１０５上のトナー画像が、給紙部１０４から給送されるシート状記録媒体の一例としての用紙に転写される。
【００１８】
２次転写ローラ１１０の左側には、用紙上に転写された転写画像を定着する本実施形態の定着装置２０が配置されている。定着装置２０は、無端ベルト状の定着ベルト３に加圧部材としての加圧ローラ４を押し当てる構成を備えている。定着装置２０の細部構成及び動作等は後述する。
【００１９】
定着装置２０の下方には、上述したタンデム画像形成部３０とほぼ平行に、用紙の両面に画像を形成する場合に用紙を反転するシート反転装置１１２が配置されている。
【００２０】
この画像形成装置１００における画像形成のための一連のプロセスについて、ネガ−ポジプロセスで説明を行うが、色を表す符号を省略して簡明に述べる。有機光導電層を有する感光体（ＯＰＣ）に代表される感光体ドラム２１は、除電ランプ（図示せず）等で除電され、帯電装置２３の帯電ローラで均一にマイナスに帯電される。
【００２１】
帯電装置２３による感光体ドラム２１の帯電が行われる際には、電圧印加機構（図示せず）から帯電装置２３に、感光体ドラム２１を所望の電位に帯電させるに適した、適当な大きさの電圧またはこれに交流電圧を重畳した帯電電圧が印加される。
【００２２】
帯電された感光体ドラム２１は、レーザ光学系等の潜像形成装置２８によって照射されるレーザ光で潜像形成が行われる。レーザ光は半導体レーザから発せられて、高速で回転する多角柱の多面鏡（ポリゴンミラー）等により感光体ドラム２１の表面を、感光体ドラム２１の回転軸方向に走査する。
【００２３】
このようにして形成された潜像が、現像装置２５にある現像剤担持体である現像スリーブ（現像ローラ）上に供給されたトナー粒子、またはトナー粒子及びキャリア粒子の混合物からなる現像剤により現像され、トナー可視像が形成される。潜像の現像時には、電圧印加機構（図示せず）から現像スリーブに、感光体ドラム２１の露光部と非露光部の間にある、適当な大きさの電圧またはこれに交流電圧を重畳した現像バイアスが印加される。
【００２４】
各色に対応した感光体ドラム２１上に形成されたトナー像は、図示しない転写装置を構成する転写ローラ２６にて中間転写ベルト１０５上に転写され、給紙部１０４から給送され、あるいは手差しトレイ１１３から給送された紙などの転写媒体（シート状記録媒体）上に、２次転写ローラ１１０により重ね合わされたトナー像（カラー画像）が一括転写される。その後、中間転写ベルト１０５は、感光体ドラム２１から分離され、転写像が得られる。
【００２５】
感光体ドラム２１上に残存するトナー粒子は、クリーニング装置２４内のクリーニングブレード等によって回収される。画像転写後の未定着のトナー像を担持した用紙は、定着装置２０へと搬送され、定着ローラ２に巻き掛けられた定着ベルト３と加圧ローラ４とのニップ部で熱と圧力を加えられて転写画像を定着される。定着された用紙は、排紙ローラ対１１５により排紙トレイ１１６上に排出・スタックされる。またあるいは、図示しない切換爪で搬送路を切り換えられてシート反転装置１１２に搬送され、そこで反転されて再び転写位置へと導かれ、裏面にも画像を形成された後に、排紙ローラ対１１５により排紙トレイ１１６上に排出・スタックされる。画像転写後の中間転写ベルト１０５は、中間転写ベルトクリーニング装置１０９により残留トナー等を除去され、タンデム画像形成部３０による再度の画像形成に備える。定着装置２０としてこれまで述べてきた本発明の定着装置を適用すれば、大サイズ通紙及び小サイズ通紙どちらにおいても異常画像を低減し、定着部材の寿命延長を実現した画像成形装置を定着できる。
【００２６】
なお前記のような画像形成装置において、後述する本発明の実施形態に係る定着装置を搭載することにより、大サイズ用紙の端部定着不良や、小サイズ通紙後の大サイズ通紙時の端部光沢ムラなどの異常画質の低減、定着部材の寿命延長を実現した画像成形装置を提供できる。
【００２７】
＜実施形態１＞
本発明に係る定着装置の第１の実施形態を図２から図５を用いて説明する。本実施形態の定着装置は、熱源であるヒータ８を有する加熱ローラ１と、金属芯金の外周に弾性層を有し、内部には熱源を有しない定着ローラ２に加圧ローラ４が圧接して配置され、これら加熱ローラ１と定着ローラ２との間に張架される無端状の定着ベルト３を備える。定着ローラ２と加圧ローラ４との圧接によって形成される定着ベルト３と加圧ローラ４とのニップ部Ｎに、未定着トナー像を担持した用紙Ｐを通紙して加熱定着を行う。定着ベルト３を挟んで加熱ローラ１の外周部かつ加熱ローラ１の軸方向の両端部に当接して配され、内部に発熱手段であるヒータ６を持ち、かつ外部に冷却手段として冷却ファン１５をも備える外部ローラ５を有する。通紙される用紙幅が規定された幅以上の場合、外部ローラ５が内蔵するヒータ６により定着ベルト３に熱を供給し、通紙される用紙幅が規定された幅未満の場合、冷却ファン１５にて外部ローラ５を冷却し定着ベルト３を通じて加熱ローラ１の熱を吸収する。そのため、大サイズ用紙の通紙時の定着部材の端部温度低下の抑制と、小サイズ通紙時の定着部材の端部温度上昇の抑制を両立させることができる。
【００２８】
すなわち、図２に示すように、加熱ローラ１と定着ローラ２に無端状の定着ベルト３が巻き掛けられている。加圧ローラ４は定着ベルト３を介して定着ローラ２に図示しない圧接機構にて脱圧／押圧が可能に配置されている。そして加圧ローラ４が押圧されることにより、加圧ローラ４と定着ローラ２の間には、ニップ部Ｎが形成される。
【００２９】
加熱ローラ１は芯金部とテフロン（登録商標）等の表面離型層とからなり、芯金部の軸方向中央孔にはヒータ８が設けられる。また、定着ローラ２は、例えば芯金外周に数十ｍｍ厚のシリコーンゴム層を形成したもの、定着ベルト３は、ポリイミドの基材上にシリコーンゴム層を設けるとともに表面層にＰＦＡコーティングを施したもの、加圧ローラ４は芯金に数ｍｍ厚のシリコーンゴム層を形成し、表面層にＰＦＡチューブを被覆したものでそれぞれ構成できる。定着ローラ２のシリコーンゴム層は加圧ローラ４のシリコーンゴム層よりも十分に厚く、かつゴム硬度も柔らかく構成し、加圧ローラ４を定着ローラ２に食い込ませることで用紙を定着ベルト３から剥離しやすい構成とすることが好ましい。ただし、これはあくまで一例であり、目的、用途等によって種々の材料の組み合わせ構成があることは無論である。
【００３０】
このように加熱ローラ１の熱が定着ベルト３に伝達されるので、本実施形態では温度検出装置９により定着ベルト３の表面温度を検知し、これが一定温度になるようにヒータ８をオン、オフして制御を行っている。
【００３１】
ニップ部Ｎの記録用紙Ｐの搬送方向で下流側には、加圧ローラ４に相対してクリーニングユニット１０が当接されている。記録用紙Ｐが通過した後の加圧ローラ４の表面には、定着ベルト３側から転写された残留トナーや紙粉等の残留物が付着している。これらの残留物はクリーニングユニット１０により除去回収される。クリーニングユニット１０はクリーニングウェブ１１、クリーニングウェブ当接部材１２にて構成されている。クリーニングウェブ１１には巻き取り軸１３と送り出し軸１４が取り付けられており、図示しない駆動機構にてクリーニングウェブ１１を巻き取っている。クリーニングウェブ１１は数十μｍ程度の厚さの巻物状で、クリーニングウェブ当接部材１２によって加圧ローラ４に当接されている。ニップ部Ｎの上流側には、用紙をニップ部Ｎへと案内する入口ガイド板７が配置されている。
【００３２】
加熱ローラ１の外周部には、外部ローラ５が定着ベルト３を介して当接している。外部ローラ５の軸方向中央孔にはヒータ６が設けられ、外部ローラ外周には冷却ファン１５が設けられている。
【００３３】
図３は、加熱ローラ１及び外部ローラ５の断面図である。加熱ローラ１の内部には最大用紙幅に対応したヒータ８が配置され、中空の円筒型ローラの構成をとっている。また、加熱ローラ１の軸方向両端には、定着ベルト３を挟んで外部ローラ５が当接される。温度検出装置９は中央部の温度検出装置９１と、両端部の温度検出装置９２、９２を備え、これら温度検出装置９１、９２は外部ローラ５が当接する円周上に設置されている。
【００３４】
次に連続通紙が行われた後の定着ベルト３の温度分布について説明する。図４、図５は定着ベルト３表面の温度分布の概略説明図であり、図４は最大用紙幅の用紙を通紙した場合、図５は幅狭用紙を通紙した場合をそれぞれ示している。これら図４、図５において符号１７は通紙部、符号１８は非通紙部をそれぞれ示す。
【００３５】
図４において、外部ローラ５を当接させない場合、制御温度Ｔｓにて温度制御を行っていても、加熱ローラ１の両端部は周囲への放熱等により最低下温度Ｔ１まで落ち込む。そこで外部ローラ５を当接させ、ヒータ６を点灯して温度検出装置９２によって制御温度Ｔｓになるように制御することにより、定着ベルト表面をほぼ制御温度Ｔｓとすることができる。また図５において、外部ローラ５を当接させない場合、制御温度Ｔｓにて温度制御を行っていても、非通紙部の温度は最大上昇温度Ｔ２まで上昇する。そこで外部ローラ５を当接させ、冷却ファン１５を駆動して外部ローラ５を冷却し、定着ベルト３から熱を吸収することにより、定着ベルト表面をほぼ制御温度Ｔｓとすることができる。
【００３６】
また加熱ローラ１上の、外部ローラ５が当接する位置の温度を検出する手段として温度検出装置９を有することにより、温度検出装置９で検出した温度に応じて外部ローラ５の発熱手段、冷却ファン１５、接離機構を制御する構成を採用できる。これにより、大サイズ通紙時には外部ローラ５をあらかじめ予熱しておき、また小サイズ通紙時には外部ローラ５をあらかじめ冷却しておき、温度検出装置９の検出温度に応じて接離機構にて外部ローラ５を定着ベルト３を介して加熱ローラ１に当接させ、それによって効率よく定着部材である定着ベルト３の加熱あるいは冷却が可能となる。
【００３７】
温度検出装置９は、加熱ローラ１の軸方向（図３の紙面では左右方向）で、中央に温度検出装置９１を、両端に温度検出装置９２、９２を配し、これら温度検出装置９１、９２の検出温度に応じて外部ローラ５の図示せぬ接離機構を制御することを可能としている。
【００３８】
例えば、通紙用紙として最大幅の用紙が選択された場合、外部ローラ５を離間状態でヒータ６にて予熱しておき、両端の温度検出装置９２の検出温度がある閾値以下となった場合、外部ローラ接離機構を駆動して定着ベルト３に当接させる。それにより、必要最小限の当接で定着ベルト３の端部温度の落ち込みを防止できる。また、通紙用紙として幅狭用紙が選択された場合、外部ローラ５を離間状態で冷却ファン１５であらかじめ冷却しておき、温度検出装置９２の検出温度がある閾値以上となった場合、外部ローラ５の接離機構を駆動して定着ベルト３に当接させる。このことで、定着ベルト３を通じて加熱ローラ１の両端部の余分な熱を吸収し、加熱ローラ１端部の温度上昇を効率よく防げる。
【００３９】
図示は省略するが、実施形態１の定着装置において、外部ローラ５を定着ベルト３を挟んで加熱ローラ１に対して接離させる接離機構を有する構成を採用できる。この構成では、外部ローラ５を必要時にのみ定着ベルト３を介して加熱ローラ１に当接するようにして、定着ベルト３に与えるストレスを最小限に抑えることができる。例えば、待機時など外部ローラ５による温度補助が必要ない場合には外部ローラ５を離間させて定着ベルト３や加熱ローラ１へ与えるストレスを必要最小限にできる。
【００４０】
＜実施形態２＞
なお以上では定着部材として加熱ローラ１と定着ローラ２との間に無端状の定着ベルト３を張架して備える定着装置について説明したが、本発明はこれに限定されず、図６に示すように内部にヒータ８を有する定着ローラ１６を用いても良い。
【００４１】
この実施形態では、内部にヒータ８を有する定着ローラ１６と、この定着ローラ１６に圧接される加圧ローラ４とを備え、両ローラのニップ部Ｎに未定着トナー像を担持した用紙Ｐを通紙して加熱定着を行う定着装置において、定着ローラ１６の外周部かつ定着ローラ１６の軸方向の両端部に当接して配され、内部にヒータ６を持ち、かつ外部に冷却ファン１５をも備える外部ローラ５を有し、通紙される用紙幅が規定された幅以上の場合、外部ローラ５が内蔵するヒータ６により定着ローラ１６に熱を供給し、通紙される用紙幅が規定された幅未満の場合、冷却ファン１５にて外部ローラ５を冷却し、定着ローラ１６の熱を吸収することにより、大サイズ通紙時の定着部材の端部温度低下と小サイズ通紙時の定着部材の端部温度上昇を抑制する。
【００４２】
この実施形態でも、図４、図５に示した先の実施形態のように、温度検出装置９が、定着ローラ１６の軸方向で中央に一つの温度検出装置９１を配置し、定着ローラ１６の両端で外部ローラ５の配置位置と対応する位置それぞれに二つの温度検出装置９２、９２を配置し、図示しない制御手段で、これら温度検出装置９１、９２の検出温度に応じて前述のように接離機構を制御する構成とすることができる。
【００４３】
また本発明は以上説明した実施形態に限定されるものではなく、多くの変形が本発明の技術的思想内で当分野において通常の知識を有する者により可能である。
【符号の説明】
【００４４】
１：加熱ローラ
２：定着ローラ
３：定着ベルト
４：加圧ローラ
５：外部ローラ
６：発熱手段
８：熱源
９：温度検出手段
１５：冷却手段
１６：定着ローラ
２０：定着装置
２１：感光体ドラム
２３：帯電装置
２４：クリーニング装置
２５：現像装置
２８：潜像形成装置
２９：プロセスカートリッジ
３０：タンデム画像形成部
９１：温度検出装置
９２：温度検出装置
１００：画像形成装置
１０１：装置本体
１０２：スキャナ
１０３：自動原稿給送装置（ＡＤＦ）
１０４：給紙部
１０５：中間転写ベルト
１１０：２次転写ローラ
１１２：シート反転装置
Ｎ：ニップ部
Ｐ：用紙
【先行技術文献】
【特許文献】
【００４５】
【特許文献１】特開平０５−１３４５７５号公報
【図１】
2014026176.tif 000003
【図２】
2014026176.tif 000004
【図３】
2014026176.tif 000005
【図４】
2014026176.tif 000006
【図５】
2014026176.tif 000007
【図６】
2014026176.tif 000008